(57)【要約】【課題】  携帯可能な箸を提供する。【解決手段】  アウター・ロッド(2) と、これに軸方向に収納できるインナー・ロッド（1)とからなる。アウター・ロッドは一端が開口された中空である。インナー・ロッドは半分が中空部(11)、残りの半分は中実部(12)である。インナー・ロッドの中空部の外表面には位置決めリング(13)を設けてある。中空部の中に緊密圧迫ユニット(3) が設けてある。緊密圧迫ユニットは、球(31)及び係止ユニット(32)を含む。球の一部は中空部の貫通穴から露出され、アウター・ロッドの内周に係止される。係止ユニットの底面はインナー・ロッドの中空部の内面に接続される。【効果】  不使用時は、短縮して携行できる。【選択図】      図４
0003104321.tif 000002
【実用新案登録請求の範囲】
【請求項１】
長手方向一端に開口された中空のアウター・ロッドと、そのアウター・ロッドの中空部に出入れ自在に収納されるインナー・ロッドとからなり、前記インナー・ロッドの後端部付近の外表面には、前記インナー・ロッドの後端部を前記アウター・ロッドに挿入した時及び前記インナー・ロッドをその先端側から前記アウター・ロッドに収納した時にそれぞれ前記アウター・ロッドの開口縁に停止される位置決めリングが設けられ、前記インナー・ロッドの後端部付近の内部には前記アウター・ロッドに挿入された前記インナー・ロッドの後端部付近を前記アウター・ロッドの内周に摩擦係止させる緊密圧迫ユニットが設けられていることを特徴とする携帯用箸。
【請求項２】
請求項１記載の携帯用箸において、インナー・ロッドとアウター・ロッドの断面形状がほぼ方形であることを特徴とする携帯用箸。
【請求項３】
請求項１記載の携帯用箸において、インナー・ロッドは後端側ほぼ半分が中空部、先端側ほぼ半分が中実部で構成されており、後端部においてアウター・ロッドに挿入されて接続されることを特徴とする携帯用箸。
【請求項４】
請求項１，２又は３記載の携帯用箸において、インナー・ロッドの中実部は木質又は金属質であることを特徴とする携帯用箸。
【請求項５】
請求項１，２，３又は４記載の携帯用箸において、中実部は先端に向かって細くなる円錐状又は六角状であることを特徴とする携帯用箸。
【請求項６】
請求項３，４又は５記載の携帯用箸において、緊密圧迫ユニットは球及びその球を保持する係止ユニットを含み、前記球の一部は前記中空部の貫通穴から露出されて、前記インナー・ロッドが前記アウター・ロッドに収納された時に前記アウター・ロッドの内周に摩擦係止されるものであることを特徴とする携帯用箸。
【請求項７】
請求項６記載の携帯用箸において、係止ユニットは球を保持する凹部を有し、その凹部と球との間に弾性体が介在されていることを特徴とする携帯用箸。
【請求項８】
請求項１〜７のいずれか１項記載の携帯用箸において、インナー・ロッド及びアウター・ロッドの外表面に単層のチタンフィルムが備えてあることを特徴とする携帯用箸。
【請求項９】
請求項１記載の携帯用箸において、アウター・ロッドの外表面に滑落防止兼飾りリングが設けられていることを特徴とする携帯用箸。
【考案の詳細な説明】
【技術分野】
【０００１】
本考案は携帯用箸に関する。
【背景技術】
【０００２】
中国人が広く使う食事ツールは箸である。周辺の多くの国の人も箸で食事をするので、箸は東方世界の主な食事ツールとなって、西方世界のナイフ、フォークと異なる。
交通の利便性向上のために、外食機会が益々増えている。大小を問わず、レストランでは、客のために箸を用意している。
【０００３】
使い捨て型の木箸、竹箸は、衛生要求に合わせるために採用される方式であるが、使用数量に応じてごみ（廃棄物）の量も増える。箸を使うと絶対に安全かといえば必ずしもそうではあるまい。省資源の観点から見ると、再使用率が高ければ高いほど、物の価値が発揮できる。しかも、環境の二次傷害を招かない。そのため、多種の伸縮可能な箸が登場し、販売されている。その構造は主に箸を二段を分割し、ジョイント方式で正常の使用長さに結合できるようになっている。
【特許文献１】特になし。
【考案の開示】
【考案が解決しようとする課題】
【０００４】
しかし、従来品は、二段に分けられ、一つの殻体で一体的に結合されるが、組立てには特別の工夫が要求されるので、高級性と利便性に対するニーズを満足することができない。
【０００５】
本考案は、上記の点に鑑みてなされたものであり、その課題は、実際のニーズに応え得る携帯用箸を提供することにある。特に、使用後に長さを短縮させ、便利に携帯できる箸を提供することにある。
【課題を解決するための手段】
【０００６】
上記目的を達成するため、請求項１の携帯用箸は、（ａ）長手方向一端に開口された中空のアウター・ロッドと、そのアウター・ロッドの中空部に出入れ自在に収納されるインナー・ロッドとからなること、（ｂ）前記インナー・ロッドの後端部付近の外表面には、前記インナー・ロッドの後端部を前記アウター・ロッドに挿入した時及び前記インナー・ロッドをその先端側から前記アウター・ロッドに収納した時にそれぞれ前記アウター・ロッドの開口縁に停止される位置決めリングが設けられていること、（ｃ）前記インナー・ロッドの後端部付近の内部には前記アウター・ロッドに挿入された前記インナー・ロッドの後端部付近を前記アウター・ロッドの内周に摩擦係止させる緊密圧迫ユニットが設けられていることを特徴としている。
上記構成により、インナー・ロッドの後端部をアウター・ロッドに挿入すると、位置決めリングがアウター・ロッドの開口縁に停止されるため、通常の箸と同じ長さで固定される。この箸のインナー・ロッドを抜き出し、インナー・ロッドの先端側をアウター・ロッドに挿入すると半分の長さになり、位置決めリングがアウター・ロッドの開口縁に停止される。このため、携帯することができる。
【０００７】
上記携帯用箸は、インナー・ロッドとアウター・ロッドの断面形状がほぼ方形であることが望ましい。
上記携帯用箸は、インナー・ロッドの後端側ほぼ半分が中空部、先端側ほぼ半分が中実部で構成されており、後端部においてアウター・ロッドに挿入されて接続されることが望ましい。
上記携帯用箸は、インナー・ロッドの中実部は木質又は金属質であることが望ましい。
上記携帯用箸は、緊密圧迫ユニットが球及びその球を保持する係止ユニットを含み、前記球の一部は前記中空部の貫通穴から露出されて、前記インナー・ロッドが前記アウター・ロッドに収納された時に前記アウター・ロッドの内周に摩擦係止されるものであることが望ましい。
上記携帯用箸は、係止ユニットが球を保持する凹部を有し、その凹部と球との間に弾性体が介在されていることが望ましい。
上記携帯用箸において、インナー・ロッド及びアウター・ロッドの外表面に単層のチタンフィルムが備えてあることが望ましい。
上記携帯用箸は、アウター・ロッドの外表面に滑落防止兼飾りリングが設けられていることが望ましい。
【考案の効果】
【０００８】
請求項１の考案によれば、インナー・ロッドのアウター・ロッドに対して延長して固定することにより通常の箸と同様に使用することができ、また、不使用時には収縮して短くでき、携帯できるから便利である。収納されたインナー・ロッドはアウター・ロッドに緊密圧迫ユニットにより摩擦係止させるから、携帯中に滑落する恐れがない。
【０００９】
インナー・ロッドの後端側ほぼ半分が中空部、先端側ほぼ半分が中実部で構成され、後端部においてアウター・ロッドに挿入されて接続される場合は、使用時に下端に中実部を有するので、全体の重心が下にあるため、手で握って食べ物を挟み易い。
インナー・ロッドの中実部が木質又は金属質である場合は、箸は優れた外観及び品質を持つ。
インナー・ロッド及びアウター・ロッドの外表面に単層のチタンフィルムが備えてある場合は、長期間、明るい外観を保ち、磨耗せず、防錆効果もある。
アウター・ロッドの外表面に滑落防止兼飾りリングが設けられている場合は、装飾性が向上し、使用中の滑落を防止できる。
【考案を実施するための最良の形態】
【００１０】
次に、本考案の実施の形態を図面に基づいて説明する。
図１は本考案による箸の短縮状態の斜視図、図２は同箸の使用時の状態を示す斜視図、図３は同箸を二本のロッドに分離した状態を示す斜視図、図４は同箸の断面図であり、（ａ）は使用時の断面図、（ｂ）は収納短縮状態の断面図である。図５は本考案の他の実施例の断面図、図６は同実施例の斜視図である。
【００１１】
本考案の携帯用箸は、インナー・ロッド１とアウター・ロッド２から構成されている。アウター・ロッド２の内周はインナー・ロッド１の外周より少し大きい。しかも、インナー・ロッド１とアウター・ロッド２は、いずれも中空のロッドで形成してある。特にインナー・ロッド１及びアウター・ロッド２の外表面に、単層のチタンフィルムを具有し、両方１、２とも、方形の断面を採用してもよい。アウター・ロッド２の長さはインナー・ロッド１の長さより少し短い。
【００１２】
また、インナー・ロッド１は、図４に示すように、それぞれほぼ半分の長さの基端部側の中空部１１と先端側の中実部１２とから形成され、インナー・ロッド１の中空部１１の後端部がアウター・ロッド２に対する結合部とされる。中実部１２は木質又は金属質であり、食べ物と接触する部分とされる。
【００１３】
中実部１２は銀製としてもよい。中実部が銀で作られたら、ハイクラスになり、食べ物が有毒かどうか簡単に判断することができる。また、全体が軽やかで精巧であり、大多数のユーザのニーズを満足すると共に、衛生、洗わない箸の使用量も減り、食事衛生も確保され、長い間使える。
【００１４】
図２に示すように、中実部１２は下方に次第に細くなる円錐状又は六角状である。インナー・ロッド１の中空部１１の外表面には、位置決めリング１３が締め付けなどにより取付けられている。この位置決めリング１３は、インナー・ロッド１の後端部をアウター・ロッド２に挿入した時及びインナー・ロッドをその先端側からアウター・ロッドに収納した時に、それぞれアウター・ロッドの開口縁に当たって、これを停止させる。これにより、図１又は図２に示すように、箸を短縮した状態又は延長した状態で止められ、固定される。
【００１５】
インナー・ロッド１の中空部１１の中には、緊密圧迫ユニット３が設けられている。緊密圧迫ユニット３は、少なくとも、一対の球３１及び球を保持する係止ユニット３２を含む。球３１の一部は中空部１１の貫通穴１４、１５から露出されていて、インナー・ロッド１の後端部をアウター・ロッド２の開口から挿入した場合に、インナー・ロッド１をアウター・ロッド２の内周に係止する。さらに詳しくは、係止ユニット３２はブロック状であり、球３１を位置決めする溝３３を有する。図４に示すように、係止ユニット３２の底面は弧面であり、シーソーのような形状になる。係止ユニット３２は、インナー・ロッド１の中空部１１内に圧入されて固定される。
【００１６】
図５に示すように、もう一つの緊密圧迫ユニット３では、球３１と溝３３の内面との間に弾性ユニット３４を介在されている。球３１の一部はインナー・ロッドの一つ貫通穴から露出される。
【００１７】
アウター・ロッド２の他端部の外表面に、滑落防止兼飾りリング２１が配置されることが望ましい。この滑落防止兼飾りリング２１が設けられた場合は、使用中又は携帯する際に滑落か防止され、また、装飾効果が得られる。
【００１８】
以上に述べた箸は、インナー・ロッド１及びアウター・ロッド２をテレスコピックに相互に嵌合する構造を有し、、緊密圧迫ユニット３に合わせることにより、使用しない場合は、インナー・ロッドの大部分をアウター・ロッドの中に挿入すると、位置決めリング１３により所定位置で止められ、緊密圧迫ユニット３のインナー・ロッドの貫通穴から露出している球３１がアウター・ロッド２の内壁面を押圧するため、摩擦係止される。これにより、図１、図４（ｂ）に示すように、短縮状態に固定され、分離して滑落することがない。
【００１９】
これに対して、箸を使用する場合は、インナー・ロッド１をアウター・ロッド２から抜き出し、反転して、インナー・ロッド１の後端部、すなわち、位置決めリング１３から外に出ていた部分をアウター・ロッド２の中に挿入する。つまり、図２、図４に示すように、継ぎ足しロッドを形成する。それで使用する時は、全長は慣用の箸と同じになり、インナー・ロッド１の先端側をアウター・ロッド２に収納すると、全長は半分まで減る。
【００２０】
本考案の箸は、主にステンレスなどの金属で作られ、二本の中空のロッドを引いて作ったあとで、チタンフィルムで表面処理を行うので、丈夫かつ耐摩擦性が高く、変色しない、防錆性能を有する表面が形成される。二つのロッドは、上端が完全に封じられず、少し中心へ延ばされたあとで、位置決めリング１３、飾りリング２１をセットさせ、緊密圧迫ユニット３をインナー・ロッド１の中に入れ、インナー・ロッドの上端を少しシールさせ、インナー・ロッドの中実部をセットする。
【００２１】
結局、本考案の箸は軽やかで精巧な構造を形成し、握り易いほかに収納も容易にでき、金属のハイクラスのカラーも表現される。使用性に優れ、便利に身につけて携行でき、個人的な専用食事ツールとなる。使用後は、少し洗うだけで収納できる。重量は手頃であり、環境保護性、安全性を具有するから、従来品と全く異なる機能をよく発揮する。
剣と剣の鞘の関係のように箸本体が収納され、使用したい時は引き出すと長くなるように構成した。これを展開すると、書具としての万年筆と筆のさやとの関係のようになる。使用時は、標準的な長さである約２０ｃｍになる。それは優れた利便性を持つばかりでなく、アウター・ロッドとインナー・ロッドの固定性能もよい。それに対して、使用せずに収納する場合は、全長でおよそ１０ｃｍまで縮められる。二つのロッドは脱落、分離しにくい。よって、身に付けて携行できる利便性がある。
【図面の簡単な説明】
【００２２】
【図１】本考案の一例の箸の短縮状態の斜視図。
【図２】同箸の使用時の斜視図。
【図３】本考案による箸を二本のロッドに分離した状態を示す斜視図。
【図４】本考案による箸の断面図であり、（ａ）は使用時の断面図、（ｂ）は短縮状態の断面図。
【図５】本考案の他の実施例の断面図。
【図６】同じく斜視図。
【符号の説明】
【００２３】
１      インナー・ロッド
１１    中空部
１２    中実部
１３    位置決めリング
１４    貫通穴
１５    ビーズ
２      アウター・ロッド
２１    飾りリング
３      緊密圧迫ユニット
３１    球
３２    係止ユニット
３３    溝
３４    弾性ユニット
【図１】
0003104321.tif 000003
【図２】
0003104321.tif 000004
【図３】
0003104321.tif 000005
【図４】
0003104321.tif 000006
【図５】
0003104321.tif 000007
【図６】
0003104321.tif 000008